(57)【要約】本発明は、注射器を持った手のみで、保護キャップに注射針を確実に挿入できる注射針の安全器材を提供することを目的とする。注射針３１の鍔部３２に係合する爪部２３を開口部近傍に有する保護キャップ２０と、保護キャップ２０を複数本、収納および保持する扁平状のケース本体１０とを有し、ケース本体１０の底板１２に、粘着層を設けた注射針の安全器材。粘着層としては、剥離紙を設けた両面テープを用いることができる。ケース本体１０を、注射を行う患者の傍の任意の場所に粘着層により固定し、注射をした後、注射針３１を患部から抜き、そのまま注射針３１を保護キャップ２０に挿入し、ケース本体１０から引き抜くことで、注射針３１に保護キャップ２０が被さる。これにより、他方の手に針刺しの危険がなくなり、また他方の手で、注射針を抜いた後の止血処置などを行うことができる。【特許請求の範囲】
【請求項１】
注射針の鍔部ないし基端部に係合する爪部を開口部近傍に有する保護キャップと、前記保護キャップを少なくとも１本、収納および保持するケース本体とを有し、前記ケース本体を支持体に安定に保持するケース保持手段を設けたことを特徴とする注射針の安全器材。
【請求項２】
前記ケース保持手段は、前記ケース本体の裏面に設けられ、前記支持体の表面との間で摩擦を増大させる滑り止め層である請求項１記載の注射針の安全器材。
【請求項３】
前記滑り止め層はシリコンゴム層である請求項２記載の注射針の安全器材。
【請求項４】
前記滑り止め層は粘着層である請求項２記載の注射針の安全器材。
【請求項５】
前記粘着層の表面に、剥離紙を貼着したことを特徴とする請求項４記載の注射針の安全器材。
【請求項６】
前記粘着層は、両面テープである請求項４または５記載の注射針の安全器材。
【請求項７】
前記滑り止め層が設けられる前記ケース本体の底面と、前記ケース本体に保持された保護キャップの中心軸線とが、前記保護キャップの開口側が高くなるように傾斜していることを特徴とする請求項２から６のいずれかの項に記載の注射針の安全器材。
【請求項８】
前記ケース保持手段は、前記支持体上に載置され、少なくとも１箇所に縁を有し、前記縁の面に対してほぼ平行に形成された突起または溝を有する基板と、前記ケース本体の前方下部に形成された弾性を有する脚部とで構成され、前記ケース本体の後方を前記基板の前記縁に当て、前記ケース本体の前方の前記脚部を前記基板の突起または溝に保持することにより、前記ケース本体を前記基板に保持するようにしたことを特徴とする請求項１記載の注射針の安全器材。
【発明の詳細な説明】
【技術分野】
【０００１】
本発明は、使用済みの注射針が誤って指などを刺す針刺し事故を未然に防ぐことのできる注射針の安全器材に関する。
【背景技術】
【０００２】
近年、医師や看護師、病院清掃従事者等が、患者に使用した注射針を誤って指などに刺してしまう、いわゆる「針刺し事故」が問題となっている。この針刺し事故により、患者の血液からＨＩＶ（Human Immunodeficiency Virus、いわゆるエイズウイルス）、ＨＣＶ（Ｃ型肝炎ウイルス）、ＨＢＶ（Ｂ型肝炎ウイルス）等に医療従事者や医療廃棄物処理者が感染し、長い闘病生活を強いられたり、死に至ったりしている。【０００３】
針刺し事故は、医師等が注射した後、注射器の針をリキャップする（保護キャップに納める）時が一番多く、次いで、針を食事トレイやベッドのシーツ上に置き忘れ、職員が後片付けする時、あるいは、所定の廃棄容器以外のビニール袋等に廃棄された時などに発生するという報告がなされている。【０００４】
針刺しの防止策として、注射後、注射針を患部から抜いた後、注射針にリキャップをせずに、そのまま廃棄容器に捨て、廃棄容器に注射針がたまった時に、廃棄容器を処分することが各方面から推奨されている。【０００５】
しかし、リキャップしないことは、注射をした医師や看護師自身の針刺しは防止できる可能性が高くなるが、その後の対応がきちんとなされない場合は、注射した本人以外の処置担当者や廃棄物処理者に対する針刺しの危険性は、リキャップした場合に比べてむしろ高くなる。【０００６】
そこで、基本に戻って、針刺しが生じない操作方法で確実にリキャップすることができれば、一番望ましいといえる。【０００７】
前述のように、リキャップとは、注射器に装着される注射針を覆っている保護キャップを、注射後に再び被せることである。【０００８】
この保護キャップは、使用する注射針によっても異なるものの、直径数ｍｍから大きくて１０ｍｍ程度の直径のものにすぎず、その一端に形成された開口部から針先を挿入させて注射針に被せる際、小さな開口部に針先がうまく挿入されず、保護キャップを持った指を刺してしまうことが多い。【０００９】
このような問題点を解消するために、特許文献１〜５等に、各種構造の注射針保護キャップが提案されている。【００１０】
特許文献１に開示されたものは、針先保護用キャップの端につばを付けたものである。これによって、保護キャップに注射針を差し込む際に誤って注射針の位置が挿入口からずれた場合にも、つばに遮られて保護キャップを持った指を刺すことがなくなるとされている。【００１１】
特許文献２に開示されたものは、てこまたは楔の作用を奏するレバーを保護キャップに装着したもので、使用時にこのレバーをもって注射針を差し込むことにより、注射針と指先との間隔を保つことができ、指が注射針先端に当たる事故または誤って指先を刺傷する事故が防止できるとされている。【００１２】
特許文献３に開示されたものは、注射針キャップの挿入口部の片側半分に延長部分を設け、対向する片側半分に短縮部分を設けた開口面積の大きい挿入口部を設けて重心を片寄らせたもので、未使用時に注射針キャップを机等に一時置いても転がり落ちたりしないようにしたものである。【００１３】
特許文献４に開示されたものは、保護キャップの胴の一部に針先が挿入可能な巾の縦割り溝を形成したものである。使用時にはこの縦割り溝に沿って注射針全体を落とし込むように保護キャップ内に挿入することにより、指に対して突き刺さる方向への注射針の移動がなくなり、針刺し事故を未然に防ぐことができるとされている。【００１４】
特許文献５に開示されたものは、注射針の開口部側面に導針溝を形成したもので、注射針の側面を導針溝にあてがって針先と反対の方に引き、針先を挿入口内に落とし込んだ後に針先を主体部内に挿入させることにより、装着時に針先を挿入口から外に外れないようにすることができ、これによって針先が手や指に刺さる刺傷事故は未然に防止できるとされている。【００１５】
しかし、これらの保護キャップは、すべて、医師等が注射後、注射器を持っている手とは逆の手で保護キャップを持ち、注射針に被せる動作が必要である。すなわち、注射針の延長上に保護キャップを持った手が来るので、注意しても、その手に注射針が刺さる危険性は残る。【００１６】
これに対して、特許文献６〜８には、保護キャップを保持する治具が提案されている。【００１７】
特許文献６に開示されたものは、キャップ台と注射針ガイドを一体または一対にし、キャップ台と注射針ガイドに曲げを設け、キャップ台と注射針ガイドの境目に段差を設けたキャップ付け機である。使用時には、キャップ台に保護キャップをセットし、注射針ガイドの曲げを案内として注射針を移動させると、曲げの延長上に保護キャップの口があるので、円滑に保護キャップに注射針を挿入できる。キャップ台は、手で持つか、立てかける台にセットして使用するので、注射針の延長上には注射器を持つ手でない方の手は存在しない。【００１８】
特許文献７に開示されたものは、挿入口を含む周壁を挿入口側から先端側に向かって縦長状に切欠するとともに、切欠部の先端側に挿入口側へ指向する翼状針係止用の係止片を形成した注射針保護キャップを複数本収納可能なケース本体を備え、同ケース本体は、収納した保護キャップの切欠部を露出させて使用済みの注射針を装着可能に維持するとともに、保護キャップを１本ずつ取り出し可能な取り出し口と、収納した保護キャップを取り出し口方向に付勢するバネを設け、またケース本体に把手を設けた注射針処理具である。【００１９】
特許文献８に開示されたものは、保護キャップを複数本収納し、使用済みの注射針を挿入口から挿入可能な姿勢に保護キャップを保持するケース本体と、このケース本体に取り付けた注射針保護キャップの抜け出しを防止する開閉蓋とを備えた注射針処理具である。【００２０】
【特許文献１】特開平１−７６８７３号公報
【特許文献２】特開平６−１２１８３６号公報
【特許文献３】特開平７−２７５３６０号公報
【特許文献４】特開平８−８９５７３号公報
【特許文献５】実開昭６０−１８７７３５号公報
【特許文献６】特開平６−１５４３２５号公報
【特許文献７】特開平１１−４７２７６号公報
【特許文献８】特開２０００−１４７８１号公報
【発明の開示】
【発明が解決しようとする課題】
【００２１】
前記の特許文献６〜８に開示された器具は、特許文献１〜５に開示された保護キャップの問題を解決するものであるが、特許文献６のキャップ付け機は、注射針が曲げの部分に接触するため、注射針の先端に付着した血液が注射針ガイドに付着する可能性が高く、その血液に皮膚が触れることにより感染のおそれがある。【００２２】
特許文献７に開示された注射針処理具は、ケース本体に設けた把手を空いた方の手で持って注射針を保護キャップに挿入するので、針刺しの危険性はないが、両手を使用する必要がある。【００２３】
特許文献８に開示された注射針処理具も、基本的には注射器を持った手とは別の方の手でケース本体を持つので、両手を使用する必要がある。【００２４】
医師等が注射を行った後、注射器の注射針を患者の体から抜くと、注射針を刺した皮膚の穴から血が出るので、アルコールを浸した脱脂綿等でしばらく注射穴を押さえて血が凝固して止まるのを待つ必要がある。通常は、患者に自分で押さえるように指示するが、患者が弱っている場合や、意識がない場合は、注射をした医師等が、抜いた注射器を持っている手とは反対の手で押さえておく必要がある。そうすると、保護キャップを挿入するのに両手を用いる特許文献６〜８の器具では、使用することができなくなる。脱脂綿を押さえるのを、付添人や看護師に頼むと、まだむき出しになっている注射針の近辺で人が動くので、針刺しの危険性が高まる。【００２５】
なお、特許文献６〜８の器具では、別のスタンドをテーブル等に備えて、片手（注射器を持った方の手）だけで注射針を保護キャップに挿入することができるように工夫されているが、注射をする現場は、必ずしも近辺にスタンドを置く場所があるとは限らない。ベッドのシーツの上では、スタンドは安定せず、シーツから落ちたりする。落ちたスタンドを拾い上げる際に、注射針が医師等や周囲の人に刺さる可能性もある。【００２６】
そこで本発明は、注射器を持った手のみで、保護キャップに注射針を確実に挿入できる注射針の安全器材を提供することを目的とする。
【課題を解決するための手段】
【００２７】
前記課題を解決するため、本発明の第１の構成に係る注射針の安全器材は、注射針の鍔部ないし基端部に係合する爪部を開口部近傍に有する保護キャップと、前記保護キャップを少なくとも１本、収納および保持するケース本体とを有し、前記ケース本体を支持体に安定に保持するケース保持手段を設けたことを特徴とする。【００２８】
この第１の構成においては、ケース保持手段により、ケース本体を診察室のデスクや、患者のベッドサイド、患者のシーツの上など、任意の場所に保持して使用する。医師や看護師は、保護キャップを収納した本発明の安全器具を注射前に任意の場所に設置しておく。次いで、利き腕である方の手、たとえば右手で注射器を持って注射をした後、脱脂綿等で注射器の針が刺さっている部位を左手で押さえた状態で注射針を抜き、そのまま注射針を保護キャップの開口から差し込むと、注射針の基端部に形成されている鍔部と、保護キャップの開口部近傍に設けた爪部とが係合し、注射器を引き抜くと、保護キャップがケース本体から離脱するので、保護キャップが被さった注射針の状態となる。この間、ケース本体はケース保持手段により所定の場所に保持されているため、注射針を保護キャップに差し込むときや、保護キャップを抜き取るときに、ケース本体に前後方向の力がかかってもケース本体が注射器とともに移動することがなく、確実に保護キャップ装着を行うことができる。注射針はその後、保護キャップとともに注射器のシリンダ部の先端から抜き取られ、所定の安全容器に捨てられる。ケース本体は、保護キャップを１本収納および保持する構成のものとすることができる。これは、病院のベッドで注射する場合や、往診など、１回だけ使用する場合に、その都度廃棄処理をするのに便利である。ケース本体に複数の保護キャップを収納および保持する構成とすることもできる。これは、予防注射など、複数の患者に、連続的に注射をする場合や、外科手術などで一人の患者に数種類の注射をする場合に、複数の保護キャップをまとめて処理するのに便利であり、また経済的である。なお、注射針には、通常、基端部に鍔部が設けられているが、留置針のように鍔部がない場合があるので、その場合は、保護キャップの開口部近傍に設けた爪部に留置針の基端部が引っ掛かることにより、抜け止めの機能を果たすようにする。【００２９】
本発明の第２の構成は、前記ケース保持手段は、ケース本体の裏面に設けられ、支持体の表面との間で摩擦を増大させる滑り止め層であることを特徴とする。【００３０】
この第２の構成では、ケース本体の底面に滑り止め層を設けているため、ケース本体を診察室のデスクや、患者のベッドサイド、患者のシーツの上など、任意の場所に置いたときに、水平方向に容易に移動しない状態で設置することができる。注射後に注射針に保護キャップを被せるとき、ケース本体は滑り止め層により所定の場所に保持されているため、注射針を保護キャップに差し込むときや、保護キャップを抜き取るときに、ケース本体に前後方向の力がかかってもケース本体が注射器とともに移動することがなく、確実に保護キャップ装着を行うことができる。【００３１】
本発明の第３の構成は、前記滑り止め層はシリコンゴム層であることを特徴とする。【００３２】
この第３の構成により、ケース本体と設置面との間の摩擦抵抗が大きくなり、注射針を保護キャップに挿入する時に、ケース本体に前後左右方向の力が加わっても、ケース本体が移動するのを阻止することができる。【００３３】
本発明の第４の構成は、前記滑り止め層は粘着層であることを特徴とする。【００３４】
この第４の構成では、医師や看護師は、粘着層を底部に形成したケース本体を、注射前に任意の場所に貼り付けておくことができる。粘着層は繊維の表面に有効に付着するので、固定する相手がシーツなどの布であっても、固定は万全である。ケース本体に複数の保護キャップを収納および保持している場合、粘着層の粘着力は、所定の場所に貼り付けたり剥がしたりするうちに弱くなるが、このケース本体は、保護キャップを使い終わった状態で廃棄されるため、保護キャップの数だけの回数の貼着が可能であればよい。【００３５】
本発明の第５の構成は、前記粘着層の表面に、剥離紙を貼着したことを特徴とする。これにより、粘着層の表面を保護し、使用時に剥離紙を剥がして貼着することができる。【００３６】
本発明の第６の構成は、前記粘着層は、両面テープであることを特徴とする。これにより、容易に粘着層を形成することができる。【００３７】
本発明の第７の構成は、前記滑り止め層が設けられるケース本体の底面と、ケース本体に保持された保護キャップの中心軸線とが、保護キャップの開口側が高くなるように傾斜していることを特徴とする。【００３８】
この第７の構成においては、ケース本体を所定の場所に貼着した後、注射器を保護キャップに挿入する時に、貼着面に沿って注射針を挿入するよりも、ある傾斜角をもって注射針を挿入することができるため、保護キャップの開口を狙いやすく、装着を容易に行うことができる。【００３９】
本発明の第８の構成は、前記ケース保持手段は、支持体上に載置され、少なくとも１箇所に縁を有し、縁の面に対してほぼ平行に形成された突起または溝を有する基板と、ケース本体の前方下部に形成された弾性を有する脚部とで構成され、ケース本体の後方を基板の前記縁に当て、ケース本体の前方の脚部を基板の突起または溝に保持することにより、ケース本体を前記基板に保持するようにしたことを特徴とする。【００４０】
この第８の構成においては、ケース本体の前方下部に脚部を設けたものを用い、卓上やベッドサイドに置くことのできる基板に縁と突起または溝を設け、その縁と突起または溝の間に、後部が縁に当たるように、前方の脚部が突起または溝に係止するような状態でケース本体を装着すると、ケース本体を基板に保持することができる。基板としては、使用後に何度も洗浄したり高温殺菌または薬液で滅菌できるように、ステンレスのような耐熱性、耐薬品性を有するものが好ましい。基板は、病院で通常用いる縁付きのトレイ状のものとすることができるが、単に、一箇所に縁を有する基板でも良い。
【発明の効果】
【００４１】
本発明によれば、注射針の鍔部に係合する爪部を開口部近傍に有する保護キャップと、保護キャップを少なくとも１本、収納および保持するケース本体とを有し、ケース本体を支持体に安定に保持するケース保持手段を設けた構成であるため、注射器を持った手のみで、保護キャップに注射針を確実に挿入することができ、そのため、他方の手に針刺しが生じることがないとともに、空いた方の手で、患者の止血等の処置をすることができる。
【図面の簡単な説明】
【００４２】
【図１】本発明の実施の形態１に係る注射針の安全器材におけるケース本体の構成を示すもので、（ａ）は平面図、（ｂ）は側面図、（ｃ）は（ａ）におけるＡ−Ａ断面図、（ｄ）は正面図、（ｅ）は（ａ）および（ｃ）におけるＢ−Ｂ断面図である。
【図２】本発明の実施の形態１に係る注射針の安全器材におけるケース本体の構成を示す底面図である。
【図３】本実施の形態１に係る安全器材における保護キャップの構成を示すものであり、（ａ）は断面図、（ｂ）は平面図、（ｃ）は右側面図、（ｄ）は（ｂ）のＣ−Ｃ断面図である。
【図４】本実施の形態１の使用状態を示す斜視図である。
【図５】本実施の形態１における注射針を保護キャップに装着した状態の断面図である。
【図６】本発明の実施の形態２に係る注射針の安全器材におけるケース本体の構成を示す斜視図である。
【図７】本発明の実施の形態３に係る保護キャップを示すもので、（ａ）は斜視図、（ｂ）は正面図、（ｃ）は中央断面図である。
【図８】本実施の形態３が適用可能な注射針の形状を示す斜視図である。
【図９】本発明の実施の形態４に係るケース保持手段を示す斜視図である。
【図１０】本発明の実施の形態４に係るケース保持手段を示す断面図である。
【符号の説明】
【００４３】
１０  ケース本体、１１  天板、１１ａ  舌片、１１ｂ  突起、１２  底板、１３  側板、１４  隔壁、１５  保護キャップ端部受け、１６  脚部、１７  粘着層、２０  保護キャップ、２１  キャップ本体、２２  凹部、２３  爪部、２４  突条、２５  開口、２６  アール部、３０  注射器、３０ａ  内管、３１  注射針、３１ａ  外管、３１ｂ  針部、３２  鍔部、３３  凸部、４０  ケース本体、４１  天板、４１ａ  舌片、４２  底板、４３  隔壁、４４  保護キャップ端部受け、４５  脚部、５０  トレイ、５１  底板、５２  縁、５３  突起、５４  滑り止め層
【発明を実施するための最良の形態】
【００４４】
以下、本発明の実施の形態を、図面を用いて具体的に説明する。
［実施の形態１］【００４５】
図１および図２は、本発明の実施の形態１に係る注射針の安全器材におけるケース本体の構成を示すもので、図１（ａ）は平面図、（ｂ）は側面図、（ｃ）は（ａ）におけるＡ−Ａ断面図、（ｄ）は正面図、（ｅ）は（ａ）および（ｃ）におけるＢ−Ｂ断面図、図２は底面図である。また、図３は本実施の形態１に係る安全器材における保護キャップの構成を示すものであり、（ａ）は断面図、（ｂ）は平面図、（ｃ）は右側面図、（ｄ）は（ｂ）のＣ−Ｃ断面図である。【００４６】
これらの図において、ケース本体１０は、天板１１と、底板１２と、側板１３と、隔壁１４と、保護キャップ端部受け１５とを備えている。ケース本体１０の前方底部には下方に向けて湾曲した脚部１６が形成されており、ケース本体１０が傾斜して設置面に置かれるようになっている。底板１２は、ケース本体１０が傾斜した状態で、設置面に密着するようになっている。隔壁１４および保護キャップ端部受け１５は、その間に保護キャップ２０（後述）を装着する保護キャップ装着空間を形成するものである。また、底板１２には、両面テープを貼り付けるなどして形成された粘着層１７が設けられており、通常は未使用時には剥離紙が貼着されている。【００４７】
天板１１の前方には、各保護キャップ装着空間の中心に位置するように舌片１１ａが延出されており、舌片１１ａの中央下部には突起１１ｂが形成されている。【００４８】
保護キャップ２０は、図３に示すようにキャップ本体２１と、前記ケース本体１０の突起１１ｂが係合する凹部２２と、注射針（後述）の基端鍔部と係合して抜け止めとなる爪部２３が形成されている。爪部２３を樹脂の射出成形金型で作るため、キャップ本体２１の内部に突条２４が形成され、またスライドコアが入る開口２５が設けられている。なお、図３において、爪部２３は保護キャップ２０の前方開口の内側上部に１箇所設けたものを示しているが、前方開口の内側の円周上に複数箇所設けてもよい。【００４９】
図４は本実施の形態１の使用状態を示す斜視図、図５は注射針を保護キャップに装着した状態の断面図である。本実施の形態１のケース本体１０は、本例では６個の保護キャップ２０を凹部２２が舌片１１ａ下部の突起１１ｂに嵌り込むようにセットした状態で、注射に先立ち、底板１２の下に貼り付けられている粘着層１７の剥離紙を剥がし、たとえば患者のシーツの上に貼り付ける。次いで、医師や看護師が注射を行った後、注射器３０を持ったままの状態で、注射針３１の先端を保護キャップ２０の内部に挿入する。そうすると、注射針３１の基端部の鍔部３２が爪部２３を押し上げて爪部２３を通過する。その状態で注射器３０を引き抜くと、爪部２３が鍔部３２に引っかかる。ケース本体１０の舌片１１ａ下部の突起１１ｂと保護キャップ２０の凹部２２との係合は弱いのと、ケース本体１０がシーツ等に固定されているため、注射器３０を引き抜くと、注射針３１に保護キャップ２０が装着された状態で保護キャップ２０はケース本体１０から引き抜かれる。【００５０】
このようにして、医師等は、注射器３０で注射を行った後に、その注射器を持った手の姿勢を変えることなく保護キャップを注射針に被せることができる。この操作は注射器３０を持った方の片手でできるため、他方の手で止血のための絆創膏を押さえる等の処置を行うことができるし、また注射針の先端に他方の手を回す必要がないので、安全性を保持することができる。【００５１】
また、ケース本体１０は、図１（ｂ）に示すように底板１２に対して傾斜した状態に設けられていることにより、注射針をケース本体１０に装着されている保護キャップ２０に挿入および引き出す操作が、斜め上からできるので、手首の姿勢に無理がなく、自然に行うことができる。【００５２】
ケース本体１０は、注射後に、貼り付けていた箇所から剥がし、剥離紙を付けて、保護キャップの数だけ再使用する。本例では、６個の保護キャップ２０をケース本体１０に装着しているので、６回使用した後、ケース本体１０は廃棄処分する。保護キャップ２０を被せられた注射針も、所定の基準に従って廃棄処分される。【００５３】
この実施の形態１では、ケース本体１０に複数の保護キャップ２０を収納および保持する構成であるため、予防注射など、複数の患者に、連続的に注射をする場合や、外科手術などで一人の患者に数種類の注射をする場合に、複数の保護キャップ２０をまとめて処理するのに便利であり、また経済的である。【００５４】
なお、本実施の形態１においては、ケース本体１０は、６個の保護キャップ２０を装着できる構成としているが、ケース本体１０を、その他の、任意の個数の保護キャップ２０を装着できる構成とすることができることはもちろんである。【００５５】
また、本実施の形態１においては、ケース本体１０の底面に粘着層１７を設けた例を示したが、粘着層１７に代えて、シリコンゴム層等の、設置面との間で摩擦抵抗を増大させる滑り止め層を全面ないし一部に設けてもよい。
［実施の形態２］【００５６】
図６は、本発明の実施の形態２に係る注射針の安全器材におけるケース本体の構成を示す斜視図である。【００５７】
これらの図において、ケース本体４０は、天板４１と、底板４２と、隔壁４３と、保護キャップ端部受け４４とを備えている。ケース本体４０の前方底部には下方に向けて湾曲した脚部４５が形成されており、ケース本体４０が傾斜して設置面に置かれるようになっている。底板４２は、ケース本体４０が傾斜した状態で、設置面に密着するようになっている。保護キャップ端部受け４４は、その間に、実施の形態１と同様の保護キャップ２０を装着する保護キャップ装着空間を形成するものである。また、底板４２の底面には、両面テープを貼り付けるなどして形成された粘着層（図示せず）が設けられており、通常は未使用時には剥離紙が貼着されている。【００５８】
この使用方法は、実施の形態１と同様であるので説明を省略する。【００５９】
この実施の形態２は、病院のベッドで注射する場合や、往診など、注射を１本だけ使用し、使用後に保護キャップ２０を被せて、その都度廃棄処理をするのに便利である。
［実施の形態３］【００６０】
図７は、本発明の実施の形態３に係る保護キャップを示すもので、（ａ）は斜視図、（ｂ）は正面図、（ｃ）は中央断面図である。また、図８は、本実施の形態３が適用可能な注射針の形状を示す斜視図である。【００６１】
図８に示すように、注射器３０の先端に装着される注射針３１は、注射器の先端の内管３０ａと注射針３１の外管３１ａが摩擦で止まっており、注射後に注射針３１を注射器３０から取り外そうとするとき、摩擦が大きいと、引き抜こうとしてもなかなかとれない場合がある。そこで、注射針３１が回らないように固定し、注射器３０を回転させると、摩擦が小さくなって、途中から引き抜くことができる。注射針３１の針部３１ｂの基端側の外管３１ａの先端部には、十字状の凸部３３が形成されているものがある。そこで、本実施の形態３では、図７に示すように、保護キャップ２０の内部に、十字状に突条２４を形成したものである。この十字状の突条２４の間に注射針３１の凸部３３が入り込む状態で、保護キャップ２０の内部に注射針３１を装着し、注射針３１の鍔部３２が保護キャップ２０の爪部２３を通過した後に、注射器３０を回転させると、注射器３０の内管３０ａと注射針３１の外管３１ａの接合面の摩擦が低減し、容易に注射器３０のみを引き抜くことができるようになる。【００６２】
なお、図７において、保護キャップ２０の開口端の下部にアール部２６を形成することにより、注射針３１の針部３１ｂの先端がガイドされ、細い注射針３１の先端を挿入しやすくなる。
［実施の形態４］【００６３】
図９および図１０は、本発明の実施の形態４に係るケース保持手段を示す斜視図および断面図である。【００６４】
この実施の形態４では、通常、病院などで使用するステンレス製トレイ５０の底板５１に、縁５２に平行な突起または溝（図示の例では突起５３）を設け、この縁５２と突起５３の間に、実施の形態１のケース本体１０または実施の形態２のケース本体４０を装着して、ケース本体１０または４０（図示の例では、実施の形態１のケース本体１０）を保持するようにしたものである。また、底板５１の底面の一部には、滑り止めのためのシリコンゴム等の、薬物や温度に耐えることができ、載置面との間に摩擦を生じさせる滑り止め層５４を設けている。【００６５】
実施の形態１，２では、ケース本体１０，４０を卓上や患者のベッドのシーツに保持・固定するのに粘着層１７を用いたが、本実施の形態４では、病院において、注射時にベッドサイドに注射器を入れて持参するトレイに、ケース本体１０，４０を保持できる構成を設けることにより、粘着層１７を不要とするものである。【００６６】
すなわち、実施の形態１，２におけるケース本体１０，４０には前方下部に弾性を有する脚部１６，４５が形成されているので、ケース本体１０，４０の後方をトレイ５０の縁５２に当て、ケース本体１０，４０の前方の脚部１６，４５をトレイ５０の突起５３または溝に装着することにより、脚部１６，４５を少し撓ませ、その弾性により、ケース本体１０，４０をトレイ５０に保持する。【００６７】
なお、トレイ５０には、突起５３または溝を数箇所設け、種類やサイズの異なる複数のケース本体を保持できるようにしてもよい。【００６８】
なお、この実施の形態４においては、トレイ５０を示したが、歯科では、トレイを使用しないことがあるので、その場合は、一箇所に縁があり、その縁と平行に突起または溝を形成した基板を用いてもよい。
【産業上の利用可能性】
【００６９】
本発明は、使用済みの注射針が誤って指などを刺す針刺し事故を未然に防ぐことのできる注射針の安全器材として、医療の分野およびその製造分野において利用することができる。
【図１】
2005079890.tif 000002
【図２】
2005079890.tif 000003
【図３】
2005079890.tif 000004
【図４】
2005079890.tif 000005
【図５】
2005079890.tif 000006
【図６】
2005079890.tif 000007
【図７】
2005079890.tif 000008
【図８】
2005079890.tif 000009
【図９】
2005079890.tif 000010
【図１０】
2005079890.tif 000011
【国際調査報告】
2005079890.tif 000012
2005079890.tif 000013
2005079890.tif 000014